(57)【要約】【課題】  ２−メルカプトエタノールのような毒物を使用することなく、食物中のアレルギー物質（アレルゲン）が変性／未変性のいかなる状態にあっても、より安全かつ簡易にアレルギー物質を検出できる高感度な免疫学的な分析方法や分析キット、これらに用いられるアレルギー物質の抽出用水溶液やアレルギー物質の抽出方法等を提供すること。【解決手段】  アルキル硫酸塩と尿素とシステイン、又は、アルキル硫酸塩と尿素とシステインとジチオスレイトールを含有する食品からのアレルギー物質の抽出用水溶液、例えば、アルキル硫酸塩：尿素：システインをモル比１．０：８．０〜２５０：０．０１〜１００：０〜１．０で含有する抽出用水溶液で、食品からオボアルブミン、αｓ１−カゼイン、β−ラクトグロブリン、小麦グリアジン、そば２４ｋＤａタンパク質、Ａｒａ  ｈ１等のアレルギー物質を抽出し、サンドイッチＥＬＩＳＡ、イムノクロマト法等で検出・定量する。【選択図】なし【特許請求の範囲】
【請求項１】
アルキル硫酸塩と尿素とシステイン、又は、アルキル硫酸塩と尿素とシステインとジチオスレイトールを含有することを特徴とする食品からのアレルギー物質の抽出用水溶液。
【請求項２】
アルキル硫酸塩：尿素：システインをモル比１．０：８．０〜２５０：０．０１〜１００：０〜１．０で含有することを特徴とする請求項１記載の抽出用水溶液。
【請求項３】
アルキル硫酸塩：尿素：システインをモル比１．０：９．６〜２３１：０．０１〜９５．２：０〜０．７で含有することを特徴とする請求項１記載の抽出用水溶液。
【請求項４】
アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする請求項１〜３のいずれか記載の抽出用水溶液。
【請求項５】
請求項１〜４のいずれか記載の抽出用水溶液で、食品からアレルギー物質を抽出することを特徴とするアレルギー物質の抽出方法。
【請求項６】
アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする請求項５記載の抽出方法。
【請求項７】
請求項１〜４のいずれか記載の抽出用水溶液で、食品から抽出したアレルギー物質を、抗原抗体反応により検出・定量することを特徴とするアレルギー物質の分析方法。
【請求項８】
サンドイッチＥＬＩＳＡあるいはイムノクロマト法で検出・定量することを特徴とする請求項７記載のアレルギー物質の分析方法。
【請求項９】
アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする請求項７又は８記載の分析方法。
【請求項１０】
請求項１〜４のいずれか記載の抽出用水溶液と、食品中のアレルギー物質を認識する抗体とを備えたことを特徴とするアレルギー物質の分析キット。
【請求項１１】
アレルギー物質を認識する抗体が、変性又は未変性のオボアルブミン、αｓ１−カゼイン、β−ラクトグロブリン、小麦グリアジン、そば２４ｋＤａタンパク質、Ａｒａ  ｈ１から選ばれる１種又は２種以上のタンパク質を認識する抗体であることを特徴とする請求項１０記載の分析キット。
【発明の詳細な説明】
【技術分野】
【０００１】
本発明は、食物中のアレルギー物質の抽出用水溶液、及びアレルギー物質の抽出方法、並びにアレルギー物質の分析方法や分析キット、より詳しくは、アルキル硫酸塩、尿素、システイン等を含有し、２−メルカプトエタノールを含有しないアレルギー物質抽出用水溶液、及び該アレルギー物質抽出用水溶液を用いたアレルギー物質の抽出方法、並びに該アレルギー物質の抽出方法を利用してオボアルブミン、αｓ１−カゼイン、β−ラクトグロブリン、小麦グリアジン、そば２４ｋＤａタンパク質、Ａｒａ  ｈ１等の食物中のアレルギー物質をサンドイッチＥＬＩＳＡ、イムノクロマト法等で検出・定量するアレルギー物質の分析方法や分析キットに関する。
【背景技術】
【０００２】
自然環境の減少、車や工場などからの排気ガス、住宅事情等、或いは食べ物の変化など様々な因子により、現在では、３人に１人が何らかのアレルギー疾患をもつといわれている。特に、食物アレルギーは、食品中に含まれるアレルギーを誘発するアレルギー物質（以下、アレルゲンということもある）の摂取が引き起こす有害な免疫反応であり、皮膚炎、喘息、消化管障害、アナフィラキシーショック等を引き起こし、このような食物アレルギーの患者が増加していることから、医学上及び食品産業上、深刻な問題を生じている。これらの危害は死に至らせることがあり、未然に処置を施す必要がある。そのためには、表示を通じて消費者へ情報提供の必要性も高まっており、ＦＡＯ／ＷＨＯ合同食品規格委員会は、アレルギー物質として知られている８種の原材料を含む食品にあっては、それを含む旨の表示について合意し、加盟国で各国の制度に適した表示方法を検討することとした（１９９９年６月）。日本では過去の健康危害などの程度、頻度を考慮して重篤なアレルギー症状を起した実績のある２４品目の食品について、その表示方法が定められた（２００２年４月より施行）。アレルギーを引き起こす食品としては、卵類、牛乳類、肉類、魚類、甲殻類及び軟体動物類、穀類、豆類及びナッツ類、果実類、野菜類、ビール酵母若しくはゼラチンなどが知られており、特に乳アレルゲンの主要成分としてのαｓ１カゼインや、ホエーアレルゲンの主要成分であるβ−ラクトグロブリンや、卵白アレルゲン成分としてはオボアルブミンとオボムコイドや、小麦アレルゲンの主要成分としてグリアジンや、そばの主要タンパク質である分子量２４ｋＤａのタンパク質や、落花生の主要タンパク質であるＡｒａ  ｈ１が知られている。
【０００３】
これらの食物アレルギー物質の検査のためのＥＬＩＳＡによる定量分析法が、平成１４年１１月６日付け食発第１１０６００１号厚生労働省医薬局食品保健部長通知「アレルギー物質を含む食品の検査方法について」（平成１７年１０月１１日付け食安発第１０１１００２号当職通知、平成１８年３月２４日付け食安発第０３２４００１号当職通知、および平成１８年６月２２日付け食安発第０６２２００３号当職通知により一部改正）に示されている「アレルギー物質を含む食品の検査方法を評価するガイドライン」などにより指定されている。このＥＬＩＳＡには２−メルカプトエタノールが使用されているが、平成２０年７月１日から施行された「毒物及び劇物指定令の一部改正等について（通知）薬食発第０６２  ０００１号」により、２−メルカプトエタノールが毒物として指定された。
【０００４】
従来、加熱処理後の食品でも変性させずにタンパク質を抽出できる抽出用水溶液として、（ａ）アルキル硫酸塩と（ｂ）尿素と（ｃ）ジチオスレイトール又は２−メルカプトエタノールとを、モル比で３．１〜５２：２０００以上：１．１以上（ジチオスレイトールの場合）又は９〜４００（２−メルカプトエタノールの場合）の割合で含有し、（ａ）アルキル硫酸塩０．０９重量％〜１．５重量％、（ｂ）尿素２Ｍ以上、及び（ｃ）ジチオスレイトール１．１ｍＭ以上、又は２−メルカプトエタノール９ｍＭ〜４００ｍＭを含む水性抽出系中で食物アレルゲンを抽出するアレルゲン分析方法が知られている（例えば、特許文献１参照）。
【０００５】
また、本発明者らも、２−メルカプトエタノールの還元力を利用した簡易なアレルギー物質検査方法を提案している（例えば、特許文献２〜５参照）。しかし、食品製造現場あるいは製造工場内でこのような毒物を扱いながらＥＬＩＳＡあるいはイムノクロマト法により食品中のアレルギー物質の検査を行うことは望ましいとは言えず、さらに検査後の残余廃棄物の廃棄方法にも安全を担保しながら行わなければならなくなる。そのため、本来、アレルギー患者保護のために積極的に行われるべき製造業者や販売者のアレルギー物質の自主検査が過大な負担となり、自主検査自体が消極的になることが懸念される。
【０００６】
【特許文献１】特開２０００−６５８２０号公報
【特許文献２】特開２００８−１０７３３９号公報
【特許文献３】特開２００７−２７８７７３号公報
【特許文献４】特開２００７−１０８１６９号公報
【特許文献５】ＷＯ２００５／０８５８４７号公報
【発明の開示】
【発明が解決しようとする課題】
【０００７】
本発明の課題は、２−メルカプトエタノールのような毒物を使用することなく、食物中のアレルギー物質（アレルゲン）が変性／未変性のいかなる状態にあっても、より安全かつ簡易にアレルギー物質を検出できる高感度な免疫学的な分析方法や分析キット、これらに用いられるアレルギー物質の抽出用水溶液やアレルギー物質の抽出方法等を提供することにある。
【課題を解決するための手段】
【０００８】
本発明者らは上記課題を解決するために鋭意研究し、アルキル硫酸塩や尿素のようなタンパク質変性剤と、食品添加物としても使用されているシステインのような還元剤を組み合わせることで、２−メルカプトエタノールを使用しなくても食品中の食物アレルギー物質由来タンパク質を十分に検出し得ることを見出し、本発明を完成するに至った。
【０００９】
すなわち本発明は、（１）アルキル硫酸塩と尿素とシステイン、又は、アルキル硫酸塩と尿素とシステインとジチオスレイトールを含有することを特徴とする食品からのアレルギー物質の抽出用水溶液や、（２）アルキル硫酸塩：尿素：システインをモル比１．０：８．０〜２５０：０．０１〜１００：０〜１．０で含有することを特徴とする上記（１）記載の抽出用水溶液や、（３）アルキル硫酸塩：尿素：システインをモル比１．０：９．６〜２３１：０．０１〜９５．２：０〜０．７で含有することを特徴とする上記（１）記載の抽出用水溶液に関する。
【００１０】
また本発明は、（４）アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする上記（１）〜（３）のいずれか記載の抽出用水溶液や、（５）上記（１）〜（４）のいずれか記載の抽出用水溶液で、食品からアレルギー物質を抽出することを特徴とするアレルギー物質の抽出方法や、（６）アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする上記（５）記載の抽出方法や、（７）上記（１）〜（４）のいずれか記載の抽出用水溶液で、食品から抽出したアレルギー物質を、抗原抗体反応により検出・定量することを特徴とするアレルギー物質の分析方法に関する。
【００１１】
さらに本発明は、（８）サンドイッチＥＬＩＳＡあるいはイムノクロマト法で検出・定量することを特徴とする上記（７）記載のアレルギー物質の分析方法や、（９）アレルギー物質が、オボアルブミン、αｓ１−カゼイン、β−ラクトグロブリン、小麦グリアジン、そば２４ｋＤａタンパク質、Ａｒａ  ｈ１から選ばれる１種又は２種以上のタンパク質であることを特徴とする上記（７）又は（８）記載の分析方法や、（１０）上記（１）〜（４）のいずれか記載の抽出用水溶液と、食品中のアレルギー物質を認識する抗体とを備えたことを特徴とするアレルギー物質の分析キットや、（１１）アレルギー物質を認識する抗体が、変性又は未変性のオボアルブミン、αｓ１−カゼイン、β−ラクトグロブリン、小麦グリアジン、そば２４ｋＤａタンパク質、Ａｒａ  ｈ１から選ばれる１種又は２種以上のタンパク質を認識する抗体であることを特徴とする上記（１０）記載の分析キットに関する。
【発明の効果】
【００１２】
本発明によると、２−メルカプトエタノールのような毒物を使用することなく、食物中のアレルギー物質（アレルゲン）が変性／未変性のいかなる状態にあっても、より安全かつ簡易にアレルギー物質を検出できる高感度な免疫学的な分析方法を提供できる。
【発明を実施するための最良の形態】
【００１３】
本発明の食品からのアレルギー物質の抽出用水溶液としては、アルキル硫酸塩と尿素とシステイン、又は、アルキル硫酸塩と尿素とシステインとジチオスレイトールを含有する水溶液であれば特に制限されず、好ましくはアルキル硫酸塩：尿素：システイン：ジチオスレイトールをモル比１．０：８．０〜２５０：０．０１〜１００：０〜１．０で含有する水溶液、より好ましくはモル比１．０：９．６〜７６．８：０．０１〜９５．２：０〜０．７や、モル比１．０：９．６〜２３１：０．０１〜９５．２：０〜０．７で含有する水溶液を好適に例示することができる。また本発明の食品からのアレルギー物質の抽出方法としては、上記本発明の食品からのアレルギー物質の抽出用水溶液で、食品からアレルギー物質を抽出する方法であれば特に制限されず、そしてまた本発明のアレルギー物質の分析方法としては、上記本発明の食品からのアレルギー物質の抽出用水溶液で食品から抽出したアレルギー物質をＥＬＩＳＡやイムノクロマト法等の抗原抗体反応により検出・定量する方法であれば特に制限されず、さらに、本発明のアレルギー物質の分析キットとしては、上記本発明の食品からのアレルギー物質の抽出用水溶液と、食品中のアレルギー物質を認識する抗体とを備えたキットであれば特に制限されず、上記アレルギー物質としては、例えば、卵、乳製品、穀類、豆類、ナッツ類、畜肉、魚肉、野菜、果実、又はそれらの加工食品などに含まれる食物アレルギーとして、ヒトにアレルギー症状を引き起こすあらゆる食品成分が含まれ、中でも、オボアルブミン、αｓ１−カゼイン、β−ラクトグロブリン、小麦グリアジン、そば２４ｋＤａタンパク質、落花生タンパク質であるＡｒａ  ｈ１を好適に例示することができる。
【００１４】
本発明のアレルギー物質抽出用水溶液を抽出対象食品と接触させ、その食品からアレルギー物質を抽出する際には、対象食品試料に含まれている水分量を考慮して、本発明のアレルギー物質抽出用水溶液を適宜希釈して用いることができる。例えば、本発明のアレルギー物質の抽出方法においては、抽出対象食品試料を含む水性抽出系中で、アルキル硫酸塩０．１〜１．５重量％、好ましくは０．２５〜１．０重量％、尿素０．５〜１２．０重量％、好ましくは１．０〜４．０重量％、システイン０．０００５〜１５．０重量％、好ましくは０．００１〜１０．０重量％、ジチオスレイトール０〜０．２重量％、好ましくは０〜０．１重量％の存在下で、前記の対象食品試料からタンパク質を抽出することができる。
【００１５】
本発明において用いられるアルキル硫酸塩としては、アルキル硫酸と無機塩基又は有機塩基との塩であれば特に制限されず、アルキル硫酸塩におけるアルキル基の炭素数は、８〜１６であることが好ましく、前記アルキル基は、直鎖状アルキル基であることもできるし、あるいは、分枝状アルキル基であることもできる。アルキル基としては、例えば、ラウリル基、トリデシル基、ミリスチル基、ペンタデシル基、ウンデシル基、デシル基、ノニル基、又はオクチル基を挙げることができ、ラウリル基が好ましい。無機塩基との塩としては、例えば、アルキル金属塩（例えば、ナトリウム塩、カリウム塩、又はリチウム塩）、又はアンモニウム塩を挙げることができ、また、有機塩基との塩としては、例えば、アルカノール塩（例えば、モノエタノールアミン）を挙げることができる。本発明においては、ナトリウム塩であることが好ましく、中でも、アルキル硫酸塩として、ラウリル硫酸ナトリウム（ＳＤＳ）を好適に例示することができる。
【００１６】
本発明の抽出用水溶液のベースとなる溶媒や抽出用水溶液の希釈液としては、分析対象であるアレルギー物質の免疫学的活性を損なわない限り、水に加えて他の成分を含んでもよく、例えば、リン酸緩衝液、トリス緩衝液、ヘペス緩衝液、メス緩衝液等の緩衝液や、生理食塩水を挙げることができる。また、上記溶媒や希釈液には、必要に応じて、タンパク質の安定化やタンパク質の抽出効率を向上させるために一般的に使用することのできる成分、例えば、金属イオン、酸化防止剤、キレート剤、吸着剤、グリセリン、ソルビトール、プロテアーゼインヒビター等を、抽出されるタンパク質の免疫学的活性を損なわない範囲で配合することができる。
【００１７】
本発明のアレルギー物質の抽出方法によると、非加熱の食品からの未変性タンパク質アレルギー物質、及び加熱処理後の食品からの変性タンパク質アレルギー物質を共に抽出することができ、本発明のアレルギー物質の分析方法によると、未変性タンパク質アレルギー物質、及び変性タンパク質アレルギー物質を認識する各２種類又はそれ以上の抗体、好ましくはモノクロナール抗体を用いたサンドイッチＥＬＩＳＡやイムノクロマト法等の抗原抗体反応によりアレルギー物質を検出・定量することができる。
【００１８】
本発明のアレルギー物質の分析方法は、抗原抗体反応により行われるが、通常、食物アレルゲンを含む試料を、標識化した抗食物アレルゲンモノクロナール抗体と接触させ、あるいは標識化した抗体の存在下に食物アレルゲンモノクロナール抗体と接触させ、抗原抗体反応により標識化免疫複合体として捕捉する免疫反応段階と、生成した該免疫複合体をその分子中に存在する標識物質を用いて分離・測定する検出段階とからなり、かかる免疫反応段階における抗原抗体反応の方法は特に制限されず、例えば、以下の方法を例示することができる。
【００１９】
不溶性担体に結合した抗食物アレルゲンモノクロナール抗体に試料中の食物アレルゲンを捕捉させた後に標識化抗ＩｇＧ抗体を反応させるサンドイッチ法や、不溶性担体に結合した抗食物アレルゲンモノクロナール抗体と異なるエピトープを認識する標識抗食物アレルゲンモノクロナール抗体（第二抗体）を用いるサンドイッチ二抗体法や、不溶性担体に結合した抗食物アレルゲンモノクロナール抗体に試料中の食物アレルゲンを標識化抗原の存在下で反応させる競合法や、食物アレルゲンを含有する試料にこれらと特異的に反応する磁気ビーズ結合標識抗食物アレルゲンモノクロナール抗体を作用させさせた後、磁力により分離した免疫複合体中の標識物質を検出する磁気ビーズ法や、食物アレルゲンを含有する試料にこれらと特異的に反応する標識抗食物アレルゲンモノクロナール抗体を作用させて凝集沈殿させた後、遠心分離により分離した免疫複合体中の標識物質を検出する凝集沈殿法や、金コロイド等で標識された抗食物アレルゲンモノクロナール抗体と食物アレルゲンであるタンパク質が結合した抗原抗体複合体が試験ストリップ上を毛管現象等により移動する途中に、食物アレルゲンと結合する抗食物アレルゲンモノクローナル抗体をあらかじめ固定しておき、抗原抗体複合体を補足させることで現れる着色ラインの有無によって定性分析するイムノクロマト法の他、二重免疫拡散法、放射免疫拡散法など公知の免疫測定法を利用することができるが、抗食物アレルゲンモノクロナール抗体として、それぞれ異なるエピトープを認識する２以上のモノクローナル抗体を用いる方法、例えば、食品中の未変性アレルゲン及び／又は変性アレルゲンが１００〜１０００ｐｐｂの濃度範囲においても定性的かつ定量的に分析しうる高感度の点でサンドイッチ二抗体法が、定性的には簡便性からイムノクロマト法が好ましい。
【００２０】
上記抗原抗体反応において用いられる不溶性担体としては、例えば、ポリスチレン、ポリエチレン、ポリプロピレン、ポリエステル、ポリアクリロニトリル、フッ素樹脂、架橋デキストラン、ポリサッカライド等の高分子化合物、その他、ガラス、金属、磁性粒子及びこれらの組み合わせ等を挙げることができ、また、不溶性担体の形状としては、例えば、トレイ状、球状、繊維状、棒状、盤状、容器状、セル、マイクロプレート、試験管、ラテックスビーズ状等の種々の形状で用いることができる。更に、これら不溶性担体への抗原又は抗体の固定化方法は特に限定されるものでなく、物理的吸着法、共有結合法、イオン結合法等を用いることができる。
【００２１】
本発明のアレルギー物質の分析方法やアレルギー物質の分析キットに用いられる抗食物アレルゲンモノクローナル抗体の免疫グロブリンのクラス及びタイプは特に制限されないが、抗食物アレルゲンモノクローナル抗体として、ＩｇＧクラス、タイプκの抗体が好適に用いられる。また、モノクローナル抗体の形態としては、全抗体又はＦ（ａｂ’）２、Ｆａｂ等の断片を用いることもできる。抗体の由来は特に限定されるものではないが、マウス、ラット、ヒト、兎、鶏等を挙げることができるが、作製の簡便性からマウスに由来するモノクローナル抗体が好適に用いられる。また、抗食物アレルゲンモノクローナル抗体は、未変性又は変性の食物アレルゲンで免疫した動物から採取した抗体産生細胞とミエローマ細胞との細胞融合により調製されるハイブリドーマを培地上で培養するか、又は動物腹腔内に投与して腹水内で増殖させた後、該培養物又は腹水から採取することにより製造することができる。
【００２２】
また、標識化抗体作製に用いられる標識物質としては、単独でまたは他の物質と反応することにより検出可能なシグナルをもたらすことができる標識物質であればよく、酵素、蛍光物質、化学発光物質、放射性物質、金コロイド等を使用するのができ、酵素としてはペルオキシダーゼ、アルカリホスファターゼ、β−Ｄ−ガラクトシダーゼ、グルコースオキシダーゼ、グルコ−ス−６−ホスフェートデヒドロゲナーゼ、アルコール脱水素酵素、リンゴ酸脱水素酵素、ペニシリナーゼ、カタラーゼ、アポグルコースオキシダーゼ、ウレアーゼ、ルシフェラーゼ若しくはアセチルコリンエステラーゼ等を、蛍光物質としては、フルオレスセインイソチオシアネート、フィコビリタンパク、希土類金属キレート、ダンシルクロライド若しくはテトラメチルローダミンイソチオシアネート等を、発光物質としては、ルミノール類、ジオキセタン類、アクリジニウム塩類等を、放射性物質としては３Ｈ、１４Ｃ、１２５Ｉ若しくは１３１Ｉ等を例示することができる。標識物質が酵素である場合には、その活性を測定するために基質、必要により発色剤、蛍光剤、発光剤等が用いることができる。
【００２３】
本発明のアレルギー物質の分析キットには、有効成分として、試料を調製するための本発明のアレルギー物質の抽出用水溶液と、抗食物アレルゲンモノクローナル抗体、好ましくはそれぞれ異なるエピトープを認識する２以上の抗食物アレルゲンモノクローナル抗体とを含む。抗食物アレルゲンモノクローナル抗体は保存安定性の点から、溶液状態よりも凍結乾燥物として収容されていることが好ましく、分析キットにはかかる抗食物アレルゲンモノクローナル抗体を溶解する緩衝液や培養液等を含んでいてもよい。また、より好ましい別の態様の本発明のアレルギー物質の分析キットとしては、試料を調製するための本発明のアレルギー物質の抽出用水溶液と、前記イムノクロマト法における試験ストリップを備えた物を挙げることができる。この場合、異なるエピトープを認識する２種類のモノクローナル抗体の少なくとも一つを、イムノクロマト用に用いられる金コロイドで標識されたモノクローナル抗体とすることが好ましい。
【００２４】
食品中の卵白アレルゲンであるオボアルブミンの分析方法において、サンドイッチＥＬＩＳＡには、ハイブリドーマ（ＦＥＲＭ  ＡＰ−２１６８２）が産生する抗オボアルブミンモノクローナル抗体ＰＤＯＡ５、ハイブリドーマ（ＦＥＲＭ  ＡＰ−２１６８３）が産生する抗オボアルブミンモノクローナル抗体ＰＤＯＡ６、ハイブリドーマ（ＦＥＲＭ  Ｐ−２０６５６）が産生する抗オボアルブミンモノクローナル抗体ＰＤＯＡ３、ハイブリドーマ（ＦＥＲＭ  Ｐ−２０６５７）が産生する抗オボアルブミンモノクローナル抗体ＰＤＯＡ４等を好適に例示することができ、また、イムノクロマト法には、ハイブリドーマ（ＦＥＲＭ  Ｐ−２０６５６）が産生する抗オボアルブミンモノクローナル抗体ＰＤＯＡ３、ハイブリドーマ（ＦＥＲＭ  Ｐ−２０６５７）が産生する抗オボアルブミンモノクローナル抗体ＰＤＯＡ４等を好適に例示することができる。
【００２５】
食品中の乳アレルゲンであるαｓ１−カゼインの分析方法において、サンドイッチＥＬＩＳＡには、ハイブリドーマ（ＦＥＲＭ  ＢＰ−１０２６３）が産生する抗αｓ１カゼインモノクローナル抗体Ｐａｓ１ＣＮ１、ハイブリドーマ（ＦＥＲＭ  ＢＰ−１０２６４）が産生する抗αｓ１カゼインモノクローナル抗体Ｐａｓ１ＣＮ２、ハイブリドーマ（ＦＥＲＭ  ＡＰ−２１６８６）が産生する抗αｓ１カゼインモノクローナル抗体Ｐａｓ１ＣＮ３等を好適に例示することができ、また、イムノクロマト法には、ハイブリドーマ（ＦＥＲＭ  ＢＰ−１０２６３）が産生する抗αｓ１カゼインモノクローナル抗体Ｐａｓ１ＣＮ１、ハイブリドーマ（ＦＥＲＭ  ＢＰ−１０２６４）が産生する抗αｓ１カゼインモノクローナル抗体Ｐａｓ１ＣＮ２等を好適に例示することができる。
【００２６】
食品中のホエーアレルゲンであるβ−ラクトグロブリンの分析方法において、サンドイッチＥＬＩＳＡには、ハイブリドーマ（ＦＥＲＭ  Ｐ−２０７８２）が産生する抗β−ラクトグロブリンモノクローナル抗体ＰβＬＧ３、ハイブリドーマ（ＦＥＲＭ  Ｐ−２０７８３）が産生する抗β−ラクトグロブリンモノクローナル抗体ＰβＬＧ４、ハイブリドーマ（ＦＥＲＭ  ＡＰ−２１６８４）が産生する抗β−ラクトグロブリンモノクローナル抗体ＰβＬＧ５等を好適に例示することができ、また、イムノクロマト法には、ハイブリドーマ（ＦＥＲＭ  Ｐ−２０７８２）が産生する抗β−ラクトグロブリンモノクローナル抗体ＰβＬＧ３、ハイブリドーマ（ＦＥＲＭ  Ｐ−２０７８３）が産生する抗β−ラクトグロブリンモノクローナル抗体ＰβＬＧ４等を好適に例示することができる。
【００２７】
食品中の小麦アレルゲンである小麦グリアジンの分析方法において、サンドイッチＥＬＩＳＡ及びイムノクロマト法には、ハイブリドーマ（ＦＥＲＭ  ＢＰ−１０２６７）が産生する抗小麦グリアジンモノクロナール抗体ＰＧＬ１、ハイブリドーマ（ＦＥＲＭ  ＢＰ−１０２６８）が産生する抗小麦グリアジンモノクロナール抗体ＰＧＬ２等を好適に例示することができる。
【００２８】
食品中のそばアレルゲンであるそば２４ｋＤａタンパク質の分析方法において、サンドイッチＥＬＩＳＡには、ハイブリドーマ（ＦＥＲＭ  ＢＰ−１０２７３）が産生する抗そば２４ｋＤａタンパク質モノクローナル抗体ＰＢＷ２、ハイブリドーマ（ＦＥＲＭ  ＡＰ−２１６８０）が産生する抗そば２４ｋＤａタンパク質モノクローナル抗体ＰＢＷ４、ハイブリドーマ（ＦＥＲＭ  ＡＰ−２１６８１）が産生する抗そば２４ｋＤａタンパク質モノクローナル抗体ＰＢＷ５等を好適に例示することができ、また、イムノクロマト法には、ハイブリドーマ（ＦＥＲＭ  ＢＰ−１０２７３）が産生する抗そば２４ｋＤａタンパク質モノクローナル抗体ＰＢＷ２、ハイブリドーマ（ＦＥＲＭ  ＡＰ−２１６８１）が産生する抗そば２４ｋＤａタンパク質モノクローナル抗体ＰＢＷ５等を好適に例示することができる。
【００２９】
食品中の落花生アレルゲンであるタンパク質Ａｒａ  ｈ１の分析方法において、サンドイッチＥＬＩＳＡには、ハイブリドーマ（ＦＥＲＭ  Ｐ−２０９６７）が産生する抗Ａｒａ  ｈ１モノクローナル抗体ＰＡｈ１−４、ハイブリドーマ（ＦＥＲＭ  ＡＰ−２１６８７）が産生する抗Ａｒａ  ｈ１モノクローナル抗体ＰＡｈ１  ８、ハイブリドーマ（ＦＥＲＭ  ＡＰ−２１６８８）が産生する抗Ａｒａ  ｈ１モノクローナル抗体ＰＡｈ１  ９、ハイブリドーマ（ＦＥＲＭ  ＡＰ−２１６８９）が産生する抗Ａｒａ  ｈ１モノクローナル抗体ＰＡｈ１  １０等を好適に例示することができ、また、イムノクロマト法には、ハイブリドーマ（ＦＥＲＭ  Ｐ−２０９６７）が産生する抗Ａｒａ  ｈ１モノクローナル抗体ＰＡｈ１−４、ハイブリドーマ（ＦＥＲＭ  Ｐ−２０９６８）が産生する抗Ａｒａ  ｈ１モノクローナル抗体ＰＡｈ１−５等を好適に例示することができる。
【００３０】
以下に、実施例により本発明を具体的に説明するが、これら実施例により本発明の技術的範囲は限定されるものではない。
【実施例１】
【００３１】
［抽出液の作製］
本発明では以下の［表１］に示す組み合わせとなるよう、ＳＤＳ、尿素、システイン、ジチオスレイトールをＰＢＳに溶解し抽出液を作製した。
【００３２】
【表１】
2010078448.tif 000002
【実施例２】
【００３３】
［卵アレルゲンの検出］
（方法）
１）検査用試料の調製
卵凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものを卵標準原液とした。卵標準原液は２−Ｄ  Ｑｕａｎｔ  Ｋｉｔ（GE-Healthcare社製）によりタンパク質を定量し、ＥＬＩＳＡでは２５ｐｐｂ、イムノクロマト法では１００ｐｐｂとなるようにＰＢＳＴで希釈し、それぞれの検査試料液とした。
【００３４】
２）ＥＬＩＳＡ
ＰＤＯＡ５（１０μｇ／ｍＬ）、ＰＤＯＡ６（１０μｇ／ｍＬ）を等量（１：１）で混合し、混合したものを９６穴マイクロプレートに１００μＬずつ分注し、３７℃で１．５時間もしくは４℃一晩静置後、ＰＢＳＴで５回洗浄した。１５０μＬの１％ＢＳＡで３７℃１時間のブロッキングを行い、ＰＢＳＴで５回洗浄した。上記１）で変性処理した検査試料液を１００μＬ加え、３７℃で１．５時間静置後、ＰＢＳＴで５回洗浄した。ビオチン標識したＰＤＯＡ３（１０μｇ／ｍＬ）及びＰＤＯＡ４（１０μｇ／ｍＬ）を等量（１：１）で混合し、混合したものを１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００３５】
３）イムノクロマト法
２ｍＭホウ酸緩衝液（ｐＨ９．０）で１ｍｇ／ｍＬとなるようにＰＤＯＡ４のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液６２５μＬを加え、さらに１５分間反応させた。遠心分離を行い、１％ＢＳＡ溶液でＯＤ５２５＝１．０になるよう調整した。ガラスウール製コンジュゲートパッド（Schleicher & Schuell社製）に６８μＬ／ｃｍ２となるよう塗布し、乾燥させた。
【００３６】
ＰＢＳで４ｍｇ／ｍＬとなるようにＰＤＯＡ３のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃、２時間ブロッキング後、ＰＢＳで洗浄し乾燥させた。
【００３７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。上記１）で変性処理した検査試料液を１００μＬ加え、ＰＤＯＡ３を塗布した部分に赤紫色のラインが出現したものを陽性、またラインが出なかったものを陰性と判定した。
【００３８】
（結果）
１）ＥＬＩＳＡ
各抽出液で変性処理した卵タンパク質をＥＬＩＳＡで検査した結果を［表２］に示した。Ｎｏ．４を除くすべての抽出液で測定することができた。Ｎｏ．４の抽出液はシステイン濃度が高く、過剰なシステインが検出に影響を与えたため検出できなかったと考えられるが、同じ比率でシステイン濃度を下げると、ＳＤＳや尿素の濃度も下がり、抽出効率が下がる危険性が危惧された。これらのことから、ＳＤＳ：尿素：システイン：ジチオスレイトールのモル比は１．０：９．６〜２３１：０．０１〜３．８：０〜０．７が好ましいと判断された。
【００３９】
【表２】
2010078448.tif 000003
【００４０】
２）イムノクロマト法
各抽出液で変性処理をした卵タンパク質をイムノクロマトキットで検査した結果を［表３］に示した。Ｎｏ．１〜７まですべての抽出液で良好に陽性と判定された。これらのことから、ＳＤＳ：尿素：システイン：ジチオスレイトールのモル比は１．０：９．６〜２３１：０．０１〜９５．２：０〜０．７が好ましいと判断された。
【００４１】
【表３】
2010078448.tif 000004
【００４２】
３）まとめ
以上の結果より、ＥＬＩＳＡならびにイムノクロマト法のいずれかの方法で卵を検出するための抽出液のＳＤＳ：尿素：システイン：ジチオスレイトールのモル比は、１．０：９．６〜２３１：０．０１〜９５．２：０〜０．７が好ましいと判断された。
【実施例３】
【００４３】
［牛乳アレルゲン（カゼイン）の検出］
（方法）
１）検査用試料の調製
牛乳凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものを牛乳標準原液とした。牛乳標準原液は２−Ｄ  Ｑｕａｎｔ  Ｋｉｔ（GE-Healthcare社製）によりタンパク質を定量し、ＥＬＩＳＡでは５ｐｐｂ、イムノクロマト法では５００ｐｐｂとなるようにＰＢＳＴで希釈し、それぞれの検査試料液とした。
【００４４】
２）ＥＬＩＳＡ
Ｐａｓ１ＣＮ１（１０μｇ／ｍＬ）、Ｐａｓ１ＣＮ２（１０μｇ／ｍＬ）を等量（１：１）で混合し、混合したものを９６穴マイクロプレートに１００μＬずつ分注し、３７℃で１．５時間もしくは４℃で一晩静置後、ＰＢＳＴで５回洗浄した。１５０μＬの１％ＢＳＡで３７℃１時間のブロッキングを行い、ＰＢＳＴで５回洗浄した。上記１）で変性処理した検査試料液を１００μＬ加え、３７℃で１．５時間静置後、ＰＢＳＴで５回洗浄した。ビオチン標識したＰａｓ１ＣＮ３（１０μｇ／ｍＬ）を１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００４５】
３）イムノクロマト法
２ｍＭホウ酸緩衝液（ｐＨ９．０）で１ｍｇ／ｍＬとなるようにＰａｓ１ＣＮ２のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液を６２５μＬを加え、さらに１５分間反応させた。遠心分離を行い、１％ＢＳＡ溶液でＯＤ５２５＝１．０になるよう調整した。ガラスウール製コンジュゲートパッド（Schleicher & Schuell社製）に６８μＬ／ｃｍ２となるよう塗布し、乾燥させた。
【００４６】
ＰＢＳで４ｍｇ／ｍＬとなるようにＰａｓ１ＣＮ１のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃、２時間ブロッキング後、ＰＢＳで洗浄し乾燥させた。
【００４７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。１）で変性処理した検査試料液を１００μＬ加え、Ｐａｓ１ＣＮ２を塗布した部分に赤紫色のラインが出現したものを陽性、またラインが出なかったものを陰性と判定した。
【００４８】
（結果）
１）ＥＬＩＳＡ
各抽出液で変性処理した牛乳タンパク質をＥＬＩＳＡで検査した結果を［表４］に示した。Ｎｏ．１〜７までのすべての抽出液で良好に測定することができた。これらのことから、ＳＤＳ：尿素：システイン：ジチオスレイトールのモル比は１．０：９．６〜２３１：０．０１〜９５．２：０〜０．７で検出可能で、特に、１．０：９．６〜２３１：０．０１〜３．８：０〜０．７が好ましいと判断された。
【００４９】
【表４】
2010078448.tif 000005
【００５０】
２）イムノクロマト法
各抽出液で変性処理をした牛乳タンパク質をイムノクロマトキットで検査した結果を［表５］に示した。Ｎｏ．１〜７までのすべての抽出液で良好に陽性と判定された。これらのことから、ＳＤＳ：尿素：システイン：ジチオスレイトールのモル比は１．０：９．６〜２３１：０．０１〜９５．２：０〜０．７で検出可能で、特に、１．０：９．６〜７６．８：０．０１〜９５．２：０〜０．７が好ましいと判断された。
【００５１】
【表５】
2010078448.tif 000006
【００５２】
３）まとめ
以上の結果より、ＥＬＩＳＡならびにイムノクロマト法のいずれかの方法で牛乳タンパク質を検出するための抽出液のＳＤＳ：尿素：システイン：ジチオスレイトールのモル比は、１．０：９．６〜２３１：０．０１〜９５．２：０〜０．７が好ましいと判断された。
【実施例４】
【００５３】
［牛乳アレルゲン（ホエー）の検出］
（方法）
１）検査用試料の調製
牛乳凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものを牛乳標準原液とした。牛乳標準原液は２−Ｄ  Ｑｕａｎｔ  Ｋｉｔ（GE-Healthcare社製）によりタンパク質を定量し、ＥＬＩＳＡでは５ｐｐｂ、イムノクロマト法では１００ｐｐｂとなるようにＰＢＳＴで希釈し、それぞれの検査試料液とした。
【００５４】
２）ＥＬＩＳＡ
ＰβＬＧ３（１０μｇ／ｍＬ）、ＰβＬＧ４（１０μｇ／ｍＬ）を等量（１：１）で混合し、混合したものを９６穴マイクロプレートに１００μＬずつ分注し、３７℃で１．５時間もしくは４℃で一晩静置後、ＰＢＳＴで５回洗浄した。１５０μＬの１％ＢＳＡで３７℃１時間のブロッキングを行い、ＰＢＳＴで５回洗浄した。上記１）で変性処理した検査試料液を１００μＬ加え、３７℃で１．５時間静置後、ＰＢＳＴで５回洗浄した。ビオチン標識したＰβＬＧ５（１０μｇ／ｍＬ）を１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００５５】
３）イムノクロマト法
２ｍＭホウ酸緩衝液（ｐＨ９．０）で１ｍｇ／ｍＬとなるようにＰβＬＧ４のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液６２５μＬを加え、さらに１５分間反応させた。遠心分離を行い、１％ＢＳＡ溶液でＯＤ５２５＝１．０になるよう調製した。ガラスウール製コンジュゲートパッド（Schleicher & Schuell社製）に６８μＬ／ｃｍ２となるよう塗布し、乾燥させた。
【００５６】
ＰＢＳで４ｍｇ／ｍＬとなるようにＰβＬＧ３のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃、２時間ブロッキング後、ＰＢＳで洗浄し乾燥させた。
【００５７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。上記１）で変性処理した検査試料液を１００μＬ加え、ＰβＬＧ３を塗布した部分に赤紫色のラインが出現したものを陽性、またラインが出なかったものを陰性と判定した。
【００５８】
（結果）
１）ＥＬＩＳＡ
各抽出液で変性処理した牛乳タンパク質をＥＬＩＳＡで検査した結果を［表６］に示した。Ｎｏ．１〜７までのすべての抽出液で良好に測定することができた。これらのことから、ＳＤＳ：尿素：システイン：ジチオスレイトールのモル比は１．０：９．６〜２３１：０．０１〜９５．２：０〜０．７が好ましいと判断された。
【００５９】
【表６】
2010078448.tif 000007
【００６０】
２）イムノクロマト法
各抽出液で変性処理をした牛乳タンパク質をイムノクロマトキットで検査した結果を［表７］に示した。Ｎｏ．１〜６までの抽出液出では良好に陽性と判定された。Ｎｏ．７の抽出液では尿素濃度が高く、検出に影響を与えたため、検出できなかったと考えられた。しかし、同じ比率で尿素濃度を下げると、ＳＤＳの濃度も下がり、抽出効率が下がる危険性が危惧された。これらのことから、ＳＤＳ：尿素：システイン：ジチオスレイトールのモル比は１．０：９．６〜７６．８：０．０１〜９５．２：０〜０．７が好ましいと判断された。
【００６１】
【表７】
2010078448.tif 000008
【００６２】
３）まとめ
以上の結果より、ＥＬＩＳＡならびにイムノクロマト法のいずれかの方法で牛乳タンパク質を検出するための抽出液のＳＤＳ：尿素：システイン：ジチオスレイトールのモル比は、１．０：９．６〜２３１：０．０１〜９５．２：０〜０．７が好ましいと判断された。
【実施例５】
【００６３】
［小麦アレルゲンの検出］
（方法）
１）検査用試料の調製
小麦タンパク質凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものを小麦タンパク質標準原液とした。小麦タンパク質標準原液は２−Ｄ  Ｑｕａｎｔ  Ｋｉｔ（GE-Healthcare社製）によりタンパク質を定量し、ＥＬＩＳＡでは５ｐｐｂ、イムノクロマト法では５００ｐｐｂとなるようにＰＢＳＴで希釈し、それぞれの検査試料液とした。
【００６４】
２）ＥＬＩＳＡ
ＰＧＬ１（１０μｇ／ｍＬ）を９６穴マイクロプレートに１００μＬずつ分注し、３７℃で１．５時間もしくは４℃で一晩静置後、ＰＢＳＴで５回洗浄した。１５０μＬの１％ＢＳＡで３７℃１時間のブロッキングを行い、ＰＢＳＴで５回洗浄した。上記１）で変性処理した検査試料液を１００μＬ加え、３７℃で１．５時間静置後、ＰＢＳＴで５回洗浄した。ビオチン標識したＰＧＬ２（１０μｇ／ｍＬ）を１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００６５】
３）イムノクロマト法
２ｍＭホウ酸緩衝液（ｐＨ９．０）で１ｍｇ／ｍＬとなるようにＰＧＬ２のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液を６２５μＬを加え、さらに１５分間反応させた。遠心分離を行い、１％ＢＳＡ溶液でＯＤ５２５＝１．０になるよう調整した。ガラスウール製コンジュゲートパッド（Schleicher & Schuell社製）に６８μＬ／ｃｍ２となるよう塗布し、乾燥させた。
【００６６】
ＰＢＳで４ｍｇ／ｍＬとなるようにＰＧＬ１のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃で２時間ブロッキング後、ＰＢＳで洗浄し乾燥させた。
【００６７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。上記１）で変性処理した検査試料液を１００μＬ加え、ＰＧＬ１を塗布した部分に赤紫色のラインが出現したものを陽性、またラインが出なかったものを陰性と判定した。
【００６８】
（結果）
１）ＥＬＩＳＡ
各抽出液で変性処理した小麦タンパク質をＥＬＩＳＡで検査した結果を［表８］に示した。Ｎｏ．１〜７までのすべての抽出液で良好に測定することができた。これらのことから、ＳＤＳ：尿素：システイン：ジチオスレイトールのモル比は１．０：９．６〜２３１：０．０１〜９５．２：０〜０．７が好ましいと判断された。
【００６９】
【表８】
2010078448.tif 000009
【００７０】
２）イムノクロマト法
各抽出液で変性処理をした小麦タンパク質をイムノクロマトキットで検査した結果を［表９］に示した。Ｎｏ．１〜７までのすべての抽出液で良好に陽性と判定された。これらのことから、ＳＤＳ：尿素：システイン：ジチオスレイトールのモル比は１．０：９．６〜２３１：０．０１〜９５．２：０〜０．７で検出可能で、特に、１．０：１９．２〜７６．８：０．０１〜９５．２：０〜０．７が好ましいと判断された。
【００７１】
【表９】
2010078448.tif 000010
【００７２】
３）まとめ
以上の結果より、ＥＬＩＳＡならびにイムノクロマト法のいずれかの方法で小麦タンパク質を検出するための抽出液のＳＤＳ：尿素：システイン：ジチオスレイトールのモル比は、１．０：９．６〜２３１：０．０１〜９５．２：０〜０．７となった。
【実施例６】
【００７３】
［そばタンパク質の検出］
（方法）
１）検査用試料の調製
そばタンパク質凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものをそばタンパク質標準原液とした。そばタンパク質標準原液は２−Ｄ  Ｑｕａｎｔ  Ｋｉｔ（GE-Healthcare社製）によりタンパク質を定量し、ＥＬＩＳＡでは５ｐｐｂ、イムノクロマト法では５００ｐｐｂとなるようにＰＢＳＴで希釈し、それぞれの検査試料液とした。
【００７４】
２）ＥＬＩＳＡ
ＰＢＷ４（１０μｇ／ｍＬ）、ＰＢＷ５（１０μｇ／ｍＬ）を等量（１：１）で混合し、混合したものを９６穴マイクロプレートに１００μＬずつ分注し、３７℃で１．５時間もしくは４℃で一晩静置後、ＰＢＳＴで５回洗浄した。１５０μＬの１％ＢＳＡで３７℃、１時間のブロッキングを行い、ＰＢＳＴで５回洗浄した。１）で変性処理した検査試料液を１００μＬ加え、３７℃で１．５時間静置後、ＰＢＳＴで５回洗浄した。ビオチン標識したＰＢＷ２（１０μｇ／ｍＬ）を１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００７５】
３）イムノクロマト法
２ｍＭホウ酸緩衝液（ｐＨ９．０）で１ｍｇ／ｍＬとなるようにＰＢＷ２のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液を６２５μＬを加え、さらに１５分間反応させた。遠心分離を行い、１％ＢＳＡ溶液でＯＤ５２５＝１．０になるよう調製した。ガラスウール製コンジュゲートパッド（Schleicher & Schuell社製）に６８μＬ／ｃｍ２となるよう塗布し、乾燥させた。
【００７６】
ＰＢＳで４ｍｇ／ｍＬとなるようにＰＢＷ５のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃で２時間ブロッキング後、ＰＢＳで洗浄し乾燥させた。
【００７７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。上記１）で変性処理した検査試料液を１００μＬ加え、ＰＢＷ５を塗布した部分に赤紫色のラインが出現したものを陽性、またラインが出なかったものを陰性と判定した。
【００７８】
（結果）
１）ＥＬＩＳＡ
各抽出液で変性処理したそばタンパク質をＥＬＩＳＡで検査した結果を［表１０］に示した。Ｎｏ．６を除くすべての抽出液で測定することができた。ＳＤＳ濃度を高くし、尿素の比率が少ないＮｏ．６の抽出液では、過剰なＳＤＳが検出に影響を与えたため吸光値が低かったと考えられた。これらのことから、ＳＤＳ：尿素：システイン：ジチオスレイトールのモル比は１．０：９．６〜２３１：０．０１〜９５．２：０〜０．７で検出可能で、特に、１．０：１９．２〜２３１：０．０１〜９５．２：０〜０．７が好ましいと判断された。
【００７９】
【表１０】
2010078448.tif 000011
【００８０】
２）イムノクロマト法
各抽出液で変性処理をしたそばタンパク質をイムノクロマトキットで検査した結果を［表１１］に示した。Ｎｏ．４とＮｏ．６を除く抽出液で良好に陽性と判定された。Ｎｏ．４、Ｎｏ．６の抽出液は陽性と判定されたが、Ｎｏ．４では過剰なシステインが検出に影響を与えるため、またＳＤＳ濃度を高くし、尿素の比率が低いＮｏ．６ではＳＤＳが検出に影響を与えたため、良好には検出できなかった。しかし、Ｎｏ．４の比率でシステイン濃度を低くした場合、ＳＤＳや尿素の濃度が低くなるため、抽出効率が下がる危険性が危惧された。これらのことから、ＳＤＳ：尿素：システイン：ジチオスレイトールのモル比は１．０：９．６〜２３１：０．０１〜９５．２：０〜０．７で検出可能で、特に、ＳＤＳ：尿素：システイン：ジチオスレイトールのモル比は１．０：１９．２〜２３１：０．０１〜３．８：０〜０．７が好ましいと判断された。
【００８１】
【表１１】
2010078448.tif 000012
【００８２】
３）まとめ
以上の結果より、ＥＬＩＳＡならびにイムノクロマト法のいずれかの方法でそばタンパク質を検出するための抽出液のＳＤＳ：尿素：システイン：ジチオスレイトールのモル比は、１．０：９．６〜２３１：０．０１〜９５．２：０〜０．７が好ましいと判断された。
【実施例７】
【００８３】
［落花生タンパク質の検出］
（方法）
１）検査用試料の調製
落花生タンパク質凍結乾燥粉末０．２ｇを５０ｍＬのＰＰ製チューブに採取し、各抽出溶液を加え、沸騰水中で１時間加熱後、１０，０００×ｇで３０分間遠心分離した後、上清を０．８μｍのミクロフィルターで濾過したものを卵標準原液とした。落花生タンパク質標準原液は２−Ｄ  Ｑｕａｎｔ  Ｋｉｔ（GE-Healthcare社製）によりタンパク質を定量し、ＥＬＩＳＡでは５ｐｐｂ、イムノクロマト法では５００ｐｐｂとなるようにＰＢＳＴで希釈し、それぞれの検査試料液とした。
【００８４】
２）ＥＬＩＳＡ
ＰＡｈ１  ９（１０μｇ／ｍＬ）、ＰＡｈ１  １０（１０μｇ／ｍＬ）を等量（１：１）で混合し、混合したものを９６穴マイクロプレートに１００μＬずつ分注し、３７℃で１．５時間もしくは４℃で一晩静置後、ＰＢＳＴで５回洗浄した。１５０μＬの１％ＢＳＡで３７℃１時間のブロッキングを行い、ＰＢＳＴで５回洗浄した。上記１）で変性処理した検査試料液を１００μＬ加え、３７℃で１．５時間静置後、ＰＢＳＴで５回洗浄した。ビオチン標識したＰＡｈ１−4（１０μｇ／ｍＬ）及びＰＡｈ１  ８（１０μｇ／ｍＬ）を等量（１：１）で混合し、混合したものを１００μＬずつ分注し、３７℃で１．５時間静置後、ＰＢＳＴで５回洗浄した。Avidin,Alkaline PhosphataseConjugateをＰＢＳＴで１／１０００希釈後、１００μＬずつ分注し３７℃で１．５時間静置後、ＰＢＳＴで５回洗浄した。ｐ−ニトロフェニルフォスフェートを量りとり、０．１％となるようにジエタノールアミンバッファーを加え、溶解したものを１００μＬずつ分注し、室温で３０分静置後、５Ｎ  ＮａＯＨを５０μＬずつ加え、反応を停止し、測定波長４０５ｎｍ、リファレンス波長６３０ｎｍで測定した。
【００８５】
３）イムノクロマト法
２ｍＭホウ酸緩衝液（ｐＨ９．０）で１ｍｇ／ｍＬとなるようにＰＡｈ１−４のモノクローナル抗体溶液を調製した。あらかじめ０．２Ｍ炭酸カリウム溶液でｐＨ９．０に調製した金コロイド溶液（シグマ社製）５ｍＬにモノクローナル抗体溶液を５００μＬ加え、室温で３０分間反応した後、１０％ＢＳＡ溶液を６２５μＬを加え、さらに１５分間反応させた。遠心分離を行い、１％ＢＳＡ溶液でＯＤ５２５＝１．０になるよう調製した。ガラスウール製コンジュゲートパッド（Schleicher & Schuell社製）に６８μＬ／ｃｍ２となるよう塗布し、乾燥させた。
【００８６】
ＰＢＳで４ｍｇ／ｍＬとなるようにＰＡｈ１−５のモノクローナル抗体溶液を調製し、ニトロセルロースメンブレンに直線状に塗布し乾燥させた。その後、１％ＢＳＡ、０．１％Ｔｗｅｅｎ２０を含むＰＢＳで３７℃で２時間ブロッキング後、ＰＢＳで洗浄し乾燥させた。
【００８７】
上記で作製したコンジュゲートパッド、抗体固定化メンブレンに加えて、被検液スポット用のガラスウール製サンプルパッド、被検液吸収用のガラスウール製吸収パッドを別途用意し、サンプルパッド、コンジュゲートパッド、抗体固定化メンブレン、吸収パッドの順にそれぞれ貼り付け、イムノクロマトストリップとした。上記１）で変性処理した検査試料液を１００μＬ加え、ＰＡｈ１−５を塗布した部分に赤紫色のラインが出現したものを陽性、またラインが出なかったものを陰性と判定した。
【００８８】
（結果）
１）ＥＬＩＳＡ
各抽出液で変性処理した落花生タンパク質をＥＬＩＳＡで検査した結果を［表１２］に示した。Ｎｏ．１〜７のすべての抽出液で測定することができた。これらのことから、ＳＤＳ：尿素：システイン：ジチオスレイトールのモル比は１．０：９．６〜２３１：０．０１〜９５．２：０〜０．７が好ましいと判断された。
【００８９】
【表１２】
2010078448.tif 000013
【００９０】
２）イムノクロマト法
各抽出液で変性処理をした落花生タンパク質をイムノクロマトキットで検査した結果を［表１３］に示した。Ｎｏ．１〜６までのすべての抽出液で良好に陽性と判定できた。Ｎｏ．７の抽出液では尿素濃度が高く、過剰な尿素が検出に影響を与えたため、良好には検出できなかった。これらのことから、ＳＤＳ：尿素：Ｃｙｓ：ＤＴＴのモル比は１．０：９．６〜２３１：０．０１〜９５．２：０〜０．７で検出可能で、特にＳＤＳ：尿素：システイン：ジチオスレイトールのモル比は１．０：９．６〜７６．８：０．０１〜９５．２：０〜０．７が好ましいと判断された。
【００９１】
【表１３】
2010078448.tif 000014
【００９２】
３）まとめ
以上の結果より、ＥＬＩＳＡならびにイムノクロマト法のいずれかの方法でそばタンパク質を検出するための抽出液のＳＤＳ：尿素：システイン：ジチオスレイトールのモル比は、１．０：９．６〜２３１：０．０１〜９５．２：０〜０．７が好ましいと判断された。
【手続補正書】
【提出日】平成20年11月11日(2008.11.11)
【手続補正１】
【補正対象書類名】明細書
【補正対象項目名】００２４
【補正方法】変更
【補正の内容】
【００２４】
食品中の卵白アレルゲンであるオボアルブミンの分析方法において、サンドイッチＥＬＩＳＡには、ハイブリドーマ（ＦＥＲＭ  Ｐ−２１６８２）が産生する抗オボアルブミンモノクローナル抗体ＰＤＯＡ５、ハイブリドーマ（ＦＥＲＭ  Ｐ−２１６８３）が産生する抗オボアルブミンモノクローナル抗体ＰＤＯＡ６、ハイブリドーマ（ＦＥＲＭ  Ｐ−２０６５６）が産生する抗オボアルブミンモノクローナル抗体ＰＤＯＡ３、ハイブリドーマ（ＦＥＲＭ  Ｐ−２０６５７）が産生する抗オボアルブミンモノクローナル抗体ＰＤＯＡ４等を好適に例示することができ、また、イムノクロマト法には、ハイブリドーマ（ＦＥＲＭ  Ｐ−２０６５６）が産生する抗オボアルブミンモノクローナル抗体ＰＤＯＡ３、ハイブリドーマ（ＦＥＲＭ  Ｐ−２０６５７）が産生する抗オボアルブミンモノクローナル抗体ＰＤＯＡ４等を好適に例示することができる。
【手続補正２】
【補正対象書類名】明細書
【補正対象項目名】００２５
【補正方法】変更
【補正の内容】
【００２５】
食品中の乳アレルゲンであるαｓ１−カゼインの分析方法において、サンドイッチＥＬＩＳＡには、ハイブリドーマ（ＦＥＲＭ  ＢＰ−１０２６３）が産生する抗αｓ１カゼインモノクローナル抗体Ｐａｓ１ＣＮ１、ハイブリドーマ（ＦＥＲＭ  ＢＰ−１０２６４）が産生する抗αｓ１カゼインモノクローナル抗体Ｐａｓ１ＣＮ２、ハイブリドーマ（ＦＥＲＭ  Ｐ−２１６８６）が産生する抗αｓ１カゼインモノクローナル抗体Ｐａｓ１ＣＮ３等を好適に例示することができ、また、イムノクロマト法には、ハイブリドーマ（ＦＥＲＭ  ＢＰ−１０２６３）が産生する抗αｓ１カゼインモノクローナル抗体Ｐａｓ１ＣＮ１、ハイブリドーマ（ＦＥＲＭ  ＢＰ−１０２６４）が産生する抗αｓ１カゼインモノクローナル抗体Ｐａｓ１ＣＮ２等を好適に例示することができる。
【手続補正３】
【補正対象書類名】明細書
【補正対象項目名】００２６
【補正方法】変更
【補正の内容】
【００２６】
食品中のホエーアレルゲンであるβ−ラクトグロブリンの分析方法において、サンドイッチＥＬＩＳＡには、ハイブリドーマ（ＦＥＲＭ  Ｐ−２０７８２）が産生する抗β−ラクトグロブリンモノクローナル抗体ＰβＬＧ３、ハイブリドーマ（ＦＥＲＭ  Ｐ−２０７８３）が産生する抗β−ラクトグロブリンモノクローナル抗体ＰβＬＧ４、ハイブリドーマ（ＦＥＲＭ  Ｐ−２１６８４）が産生する抗β−ラクトグロブリンモノクローナル抗体ＰβＬＧ５等を好適に例示することができ、また、イムノクロマト法には、ハイブリドーマ（ＦＥＲＭ  Ｐ−２０７８２）が産生する抗β−ラクトグロブリンモノクローナル抗体ＰβＬＧ３、ハイブリドーマ（ＦＥＲＭ  Ｐ−２０７８３）が産生する抗β−ラクトグロブリンモノクローナル抗体ＰβＬＧ４等を好適に例示することができる。
【手続補正４】
【補正対象書類名】明細書
【補正対象項目名】００２８
【補正方法】変更
【補正の内容】
【００２８】
食品中のそばアレルゲンであるそば２４ｋＤａタンパク質の分析方法において、サンドイッチＥＬＩＳＡには、ハイブリドーマ（ＦＥＲＭ  ＢＰ−１０２７３）が産生する抗そば２４ｋＤａタンパク質モノクローナル抗体ＰＢＷ２、ハイブリドーマ（ＦＥＲＭ  Ｐ−２１６８０）が産生する抗そば２４ｋＤａタンパク質モノクローナル抗体ＰＢＷ４、ハイブリドーマ（ＦＥＲＭ  Ｐ−２１６８１）が産生する抗そば２４ｋＤａタンパク質モノクローナル抗体ＰＢＷ５等を好適に例示することができ、また、イムノクロマト法には、ハイブリドーマ（ＦＥＲＭ  ＢＰ−１０２７３）が産生する抗そば２４ｋＤａタンパク質モノクローナル抗体ＰＢＷ２、ハイブリドーマ（ＦＥＲＭ  Ｐ−２１６８１）が産生する抗そば２４ｋＤａタンパク質モノクローナル抗体ＰＢＷ５等を好適に例示することができる。
【手続補正５】
【補正対象書類名】明細書
【補正対象項目名】００２９
【補正方法】変更
【補正の内容】
【００２９】
食品中の落花生アレルゲンであるタンパク質Ａｒａ  ｈ１の分析方法において、サンドイッチＥＬＩＳＡには、ハイブリドーマ（ＦＥＲＭ  Ｐ−２０９６７）が産生する抗Ａｒａ  ｈ１モノクローナル抗体ＰＡｈ１−４、ハイブリドーマ（ＦＥＲＭ  Ｐ−２１６８７）が産生する抗Ａｒａ  ｈ１モノクローナル抗体ＰＡｈ１  ８、ハイブリドーマ（ＦＥＲＭ  Ｐ−２１６８８）が産生する抗Ａｒａ  ｈ１モノクローナル抗体ＰＡｈ１  ９、ハイブリドーマ（ＦＥＲＭ  Ｐ−２１６８９）が産生する抗Ａｒａ  ｈ１モノクローナル抗体ＰＡｈ１  １０等を好適に例示することができ、また、イムノクロマト法には、ハイブリドーマ（ＦＥＲＭ  Ｐ−２０９６７）が産生する抗Ａｒａ  ｈ１モノクローナル抗体ＰＡｈ１−４、ハイブリドーマ（ＦＥＲＭ  Ｐ−２０９６８）が産生する抗Ａｒａ  ｈ１モノクローナル抗体ＰＡｈ１−５等を好適に例示することができる。